(57)【要約】【課題】海上において遭難し、漂流する人体を、いち速く発見させるようにすること。【解決手段】遭難信号となる、色付きバルーンを、即時に浮揚するように、ライフジャケットに内蔵させる。【選択図】      図８
2006027586.tif 000002
【特許請求の範囲】
【請求項１】
図３の、色付きバルーン（２０）及びガス注入装置（３６）。給気ホース（１７）。図１の、ガスボンベを連結した自動ガスボンベ開口装置（３５）。手動レバー引き紐（９）。色付きバルーン連結紐（２１）。以上の装置を、図８の、平板にしたライフジャケット内部の各装置の伏図。のように一連にして、ライフジャケット（３４）。に内蔵した救命具。
【発明の詳細な説明】
【発明の詳細な説明】
【技術分野】
【０００１】  本発明は、色付きバルーン及びガス注入装置、並びに、ガスボンベを連結した自動ガスボンベ開口装置、給気ホース、手動レバー引き紐、色付きバルーン連結紐、の該装置を一連に、ライフジャケットに内蔵し、発見させることを唯一の目的とした救命具に関する。
【背景技術】
【０００２】  救命具は多種多様であるが、何れも装着の簡便さのみが優先され、発見を促す方法としては、笛と、小さな反射布が一般的であり、重要視されていない。
【発明が解決しようとする課題】
【０００３】  救命具は言うまでなく、人命救助を目的としたものだが、気体を浮力とした簡便な救命具は、漂流物等による破損も考慮すべきであろうし、他の浮力材にしても、長時間の浸水では浮力も低下するであろう。悪天候だと捜索は困難を極めるし、水温が低下する季節での救助は急を要する。何れにしても短時間での発見が必要不可欠である。
【課題を解決するための手段】
【０００４】  上記の問題点を解決するために、本発明はライフジャケットに海水が侵入すると、自動的にバルーンが浮揚し遭難信号となるようにした。又、バルーンに昼夜を問わず見易い着色をすることで漂流者の発見を長時間に渡り促し続けることができる。
【発明を実施するための最良の形態】
【０００５】  本発明の、色付きバルーンとライフジャケットを装着した人体が、何んらかの事故により海に落ちた場合、即時に色付きバルーンが浮揚し、遭難信号となる。まず、ライフジャケットに内蔵した、ガスボンベを連結した自動ガスボンベ開口装置は、海水が侵入すると、内部の固定された、海水に溶ける粉末が溶解する。該粉末に制御されていた圧縮スプリングは、ピストン、粉末固定盤、ボンベ開口軸、を一挙に押し出し、ガスボンベを開口する。【０００６】  上記した、ガスボンベが開口すると、圧縮されたガスは、給気室から一気に給気パイプ、給気ホースを抜け、色付きバルーンを膨張させる。この時点で、ガス注入装置内の安全装置の海水に溶ける粉末も溶解しているから、色付きバルーンは膨張力で折りたたみレバーを押し下げ、バルーン挟みを開き、浮揚する。
【実施例】
【０００７】  実施例について、図面を参照して説明するが、図１においては、上部の符号、１、２、３、４、５、６、１７、１８と下部の符号、７、８、９、１１、１２、１３、１４、１５、１６、１９、に分割して説明する。まず、上部において、ガスボンベ１は、粉末用シリンダー３の先端部内面に、連結ネジ２で固着する。給気室４は、ガスボンベ１と直接する。防水カバー６は、粉末用シリンダー３の縦中央部外面の連結ネジ２に固着し、浸水口５は、防水カバー６の下部に隠すように設ける。給気パイプ１８は、給気室４に直接させ、給気ホース１７に接続する。【０００８】  図１の説明において、上部と下部に分割した、下部の説明。前記の粉末用シリンダー３の給気室４と、海水に溶ける粉末１９固定部の障壁の中心部軸受けに、ボンベ開口軸１４を尖った部分から挿入し、該軸１４の周囲に海水に溶ける粉末１９を入れる。粉末固定盤１６は、該盤中心部軸穴に、ボンベ開口軸１４の後部を入れ、スライドさせて、海水に溶ける粉末１９を圧縮する。ピストン７，圧縮スプリング１５も粉末固定盤１６に準じてセットする。スプリング用シリンダー８は、内部縦中央のスプリング安定台、兼、障壁の中心部軸受けに、ボンベ開口軸１４の後部を挿入し、該軸を被うように、粉末用シリンダー３の末端外面の連結ネジ２に固着する。手動用圧縮盤１３は、ボンベ開口軸１４が、スプリング用シリンダー８の該軸受けから突出した先端部に小ネジで固着する。手動ボンベ開口レバー１０は、スプリング用シリンダー８の後部片側に突起した格納部分へ、回転可能にセット用ビス１１で外部よりセットし、手動レバー引き紐９を連結する。シリンダーカバー１２は、スプリング用シリンダー８の後部先端へ脱着可能にセットする。最後に符号は付していないが、手動ボンベ開口レバー１０には、外部より安全ピンを施す。【０００９】  図２に示されている実施例では、海水に溶ける粉末１９が溶解し、圧縮スプリング１５の反発によってピストン７，粉末固定盤１６、ボンベ開口軸１４が同時に移動し、ガスボンベ１が開口していることを示している。手動ボンベ開口レバー１０も移動しているが、自動ガスボンベ開口装置が正常に作動した場合は移動しない。該装置の素材は、ガスボンベ１．ボンベ開口軸１４、圧縮スプリング１５、手動ボンベ開口レバー１０を除けば合成樹脂が適当と思える。【００１０】  図３においては、ガス注入装置３６と、色付きバルーン２０とに分割して説明する。まず、ガス注入装置３６の骨格となる、ガス注入装置ケース２７は、ほぼ正方形の基板に、蓋取り付けビス穴２６を数個付けた縁を上部を除いた周囲に付ける。該ケース状の内部に、左右の縦縁より順に底縁に沿って、間は同じ幅で、縦の長さが異なる間仕切りを各二本の計四本を付ける。両端の間の下部には浸水口５を設け、間仕切りの上部には、バルーン挟み２８をセットする軸を、給気ホース１７を中心に向かい合わせて二個所に付ける。該ケース２７の深さは、１０ｍｍ程で良いが、該縁、間仕切り、該軸、共に該蓋３１をセットすると、密着するように同じレベルとする。以上からなる該ケース２７を一体化する素材は、合成樹脂が適当と思える。【００１１】  上記に続いて説明する。ガス注入装置ケース２��には、両端の間より順に海水に溶ける粉末１９、弱圧縮スプリング３０を入れる。海水に溶ける粉末１９の上には、三個の部品を蝶番２５で、一体化した折りたたみレバー２４を乗せ、弱圧縮スプリング３０をセットする。上部の二個所の軸には、バルーン挟み２８を納め、折りたたみレバー２４にセットする。給気ホース１７は、底縁の中央部の穴に納め、ホースバンド２９で二個所を固定する。【００１２】  前記した図３の説明において、ガス注入装置３６と分割した、色付きバルーン２０の説明。色付きバルーン２０は、ガス受け口のホース部分の内部に逆流防止弁２２を付け、外部には、バルーン止め２３を固着する。さらに、色付きバルーン連結紐２１を、バルーン止め２３の上部に結び、片方は、後記するライフジャケット３４の胸部に止める。次に該色付きバルーン２０を、折りたたみレバー２４上部の折りたたんだ二つの半リング２４の間を通し、ガス受け口のホース先端を給気ホース１７に密着させ、バルーン挟み２８にセットする。【００１３】  図４に示した実施例では、浸水口５より侵入した海水が、安全装置の海水に溶ける粉末１９を溶解し、色付きバルーン２０は、ガスの注入によって膨張を始める。弱圧縮スプリング３０は、色付きバルーン２０の膨張力に抵抗しながら圧縮される。最高の膨張力となった色付きバルーン２０は、折りたたみレバー２４を押し下げ、バルーン挟み２８を開き、浮揚する様子を示している。【００１４】  図５の説明において、ガス注入装置ケース蓋３１は、上部を除いた周囲に、蓋取り付けビス穴２６を数個設け、下部のやや両端に浸水口５を開ける。素材は、ガス注入装置３６内の動きが見える透明な合成樹脂の板とする。【００１５】  図６の説明において、ガス注入装置３６の折りたたみレバー２４は、上部の半リング２４の２個を下部のレバー２４の上部先端の両側に、蝶番２５（図に示さず）でそれぞれ固着し、ガス注入装置ケース２７にセットする。色付きバルーン２０の静止時は、上部半リング２４は閉じ、下部のレバー２４もガス注入装置ケース２７より、やや浮上した状態となる。【００１６】  図７の示す実施例において、色付きバルーン２０の膨張力で押し下げられた、折りたたみレバー２４は、上部の半リング２４が両方に全開し、下部のレバー部分は、ガス注入装置ケース２７に完全に埋没して、色付きバルーン２０が浮揚する様子を示している。【００１７】  図８の説明において、ライフジャケット３４は、布地に、両脇腹と背面の五個所に、体の蒸れを防ぐ大小の空間を設け、両前身の先端の上下に着用ベルト３７を付ける。次に、前身の右側には、平板形浮力材３３を全面に付け、左側には平板形浮力材３３を刳り貫き、色付きバルーン２０と、ガス注入装置３６を収納出来る形にして付ける。背面の四個所には、円筒形浮力材３２を付けるが、内側の二個所は浸水口とガスボンベを連結した自動ガスボンベ開口装置３５を内蔵出来る空間を設けた，円筒形浮力材３２を付け、ガスボンベを連結した自動ガスボンベ開口装置３５、給気ホース１７、ガス注入装置３６、色付きバルーン２０、手動レバー引き紐９をそれぞれにセットする。【００１８】  図９の説明において、ライフジャケット３４の表面布は、両前身の肩の下部に反射布３９を付け、右側の前身の胸部には、笛及び携帯電話用ポケット４０を付ける。左側の前身は、胸部より下部にかけて色付きバルーン２０の、浮揚口マジックファスナー４１を付け、その上蓋に色付きバルーン連結紐２１を付ける。下部の先端部には、引き紐口３８を設ける。背面のガスボンベを連結した自動ガスボンベ開口装置３５が入った、円筒形浮力材３２の部分には、器具交換口ファスナー４２を付ける。着用ベルト３７は、図８の説明に同じ。
【発明の効果】
【００１９】  本発明は、以上説明したような形態で実施され、以下に記載されるような効果を奏する。
【００２０】  海上に於ける事故は様々だが、仮に波の高さが、２ｍ以上の状態に何んらかの事故で人が海に落ちたと想定すると、救命具を装着していても、海面より浮上している部分は、３０ｃｍから４０ｃｍ程であり、高波に翻奔された人体は、余程の近距離でない限り、航行する小型船からの発見は容易ではない。何故なら、小型船も高波に右往左往し、しぶきは被り、己の生命も危惧する状況の中で、他の予期せぬ事態にまで心を配る、ゆとりはないからである。もし、何んらかの方法で、遭難のシグナルが送れたとしても、発見には、かなりの時間を要するであろうし、待つ者の体力の疲労と焦燥感は想像を絶する。
【００２１】  前記の状況下で、色付きバルーンを内蔵したライフジャケットを装着していると、海水に溶ける粉末の制御装置は、海水が侵入すると即時に溶解し、ガスの注入を開始する。昼夜を問わず見易い色をしたバルーンは、空気より軽いガスを注入され、波より遥かに高く浮揚し、遭難信号となり、長時間に渡り発見を促す。
【００２２】  さらに、該ライフジャケットは、軽便さにおいては他に劣るが、体の蒸れを防ぐため、布地に多くの空間を設けているし、気体の浮力材ではないから、安心度は優れている。、また、色付きバルーンを効果的に揚げるための、二つのガスボンベを連結した自動ガスボンベ開口装置も、円筒形浮力材にコンパクトに内蔵させているから装着時の違和感はない。
【図面の簡単な説明】
【図１】ガスボンベを連結した自動ガスボンベ開口装置の縦断面図である。
【図２】ガスボンベを連結した自動ガスボンベ開口装置の実施例を示す、縦断面である。
【図３】色付きバルーン及びガス注入装置の縦断面図である。
【図４】色付きバルーン及びガス注入装置の実施例を示す縦断面図である。
【図５】ガス注入装置のケース部の蓋の平面図である。
【図６】色付きバルーン及びガス注入装置の上部、縦側面図である。
【図７】色付きバルーン及びガス注入装置の実施例を示す縦側面図である。
【図８】平板にしたライフジャケット内部の各装置の伏図である。
【図９】平板にしたライフジャケット表面の平面図である。
【符号の説明】
１  ガスボンベ
２  連結ネジ
３  粉末用シリンダー
４  給気室
５  浸水口
６  防水カバー
７  ピストン
８  スプリング用シリンダー
９  手動レバー引き紐
１０  手動ボンベ開口レバー
１１  セット用ビス
１２  シリンダーカバー
１３  手動用圧縮盤
１４  ボンベ開口軸
１５  圧縮スプリング
１６  粉末固定盤
１７  給気ホース
１８  給気パイプ
１９  海水に溶ける粉末
２０  色付きバルーン
２１  色付きバルーン連結紐
２２  逆流防止弁
２３  バルーン止め
２４  折りたたみレバー
２５  蝶番
２６  蓋取り付けビス穴
２７  ガス注入装置ケース
２８  バルーン挟み
２９  ホースバンド
３０  弱圧縮スプリング
３１  ガス注入装置ケース蓋
３２  円筒形浮力材
３３  平板形浮力材
３４  ライフジャケット
３５  ガスボンベを連結した自動ガスボンベ開口装置
３６  ガス注入装置
３７  着用ベルト
３８  引き紐口
３９  反射布
４０  笛、及び携帯電話用ポケット
４１  色付きバルーン浮揚口マジックファスナー
４２  器具交換口ファスナー
【図１】
2006027586.tif 000003
【図２】
2006027586.tif 000004
【図３】
2006027586.tif 000005
【図４】
2006027586.tif 000006
【図５】
2006027586.tif 000007
【図６】
2006027586.tif 000008
【図７】
2006027586.tif 000009
【図８】
2006027586.tif 000010
【図９】
2006027586.tif 000011